(57)【要約】【課題】  異音の発生を抑制することが可能な計器装置を提供する。【解決手段】  回路基板１と、回路基板１に配置され駆動軸２が前方に延びる計器本体３と、駆動軸２の先端側に装着される指針４と、指針４と回路基板１との間に配置され駆動軸２に対応する貫通部５ａを有する指標板５と、指標板５と回路基板１との間に位置する筒状部８ａを有するケース体８とを備えた計器装置において、筒状部８ａに回路基板１の表面に沿うように延在する延長部８ｃを設け、延長部８ｃと回路基板１とを固定部材２０により固定した。【選択図】  図２
2009074975.tif 000002
【特許請求の範囲】
【請求項１】
回路基板と、前記回路基板に配置され駆動軸が前方に延びる計器本体と、前記駆動軸の先端側に装着される指針と、前記指針と前記回路基板との間に配置される前面パネルと、前記前面パネルと前記回路基板との間に位置する壁部を有するケース体とを備えた計器装置において、
前記壁部に前記回路基板の表面に沿うように延在する延長部を設け、
前記延長部と前記回路基板とを固定部材により固定してなることを特徴とする計器装置。
【請求項２】
回路基板と、前記回路基板に配置され駆動軸が前方に延びる計器本体と、前記駆動軸の先端側に装着される指針と、前記指針と前記回路基板との間に配置される前面パネルと、前記前面パネルと前記回路基板との間に位置する壁部を有するケース体と、前記計器本体を収納するように前記回路基板の背後に配置されるカバー部材とを備えた計器装置において、
前記壁部に前記回路基板の表面に沿うように延在する延長部を設け、
前記カバー部材には前記延長部に対応した箇所に、前記回路基板と当接する当接部が形成されてなり、
前記延長部と前記回路基板と前記当接部とを固定部材により固定してなることを特徴とする計器装置。
【請求項３】
前記前面パネルが、前記指針によって指示される指標部と、表示素子が臨む開口窓部とを有する指標板からなり、
前記延長部が、前記表示素子を保持する枠体と前記回路基板との間に配設されてなることを特徴とする請求項１または請求項２記載の計器装置。
【発明の詳細な説明】
【技術分野】
【０００１】
本発明は、例えば自動車やオートバイをはじめとする各種車両に搭載される計器装置に関する。
【背景技術】
【０００２】
従来、この種の計器装置にあっては、例えば下記特許文献１に記載されているものが知られている。この特許文献１に記載の計器装置を図４、図５を用いて説明する。なお、図４は従来例による計器装置の正面図、図５は図４のＸ−Ｘ断面図である。図４、図５において、計器装置１００は、回路基板１１０と、この回路基板１１０に導通接続（配置）され駆動軸１２０が前方に延びる計器本体１３０と、駆動軸１２０の先端側に装着される指針１４０と、この指針１４０と回路基板１１０との間に配置され駆動軸１２０に対応する孔部（貫通部）１５１を有する指標板（前面パネル）１５０と、指針１４０を照明する指針用光源１６０、指標板１５０を照明する指標用光源１７０と、指標板１５０と回路基板１１０との間に位置するケース体１８０と、計器本体１３０を収納するように回路基板１１０の背後に配置されるカバー部材１９０とを備えてなる。
【０００３】
この場合、計器本体１３０は、可動磁石式計器またはステッピングモータからなり、駆動軸１２０が回路基板１１０を貫通するように、その主要部が回路基板１１０の背後に装着される。また指標板１５０は、駆動軸１２０の先端側に装着された指針１４０によって指示される指標部１５２と、表示素子２００が臨む開口窓部１５３とを有してなる。ここで、表示素子２００は、走行距離等の各種情報を表示する液晶表示パネルからなり、開口窓部１５３に対応するように指標板１５０内部に配置される構成となっている。
【０００４】
そして、ケース体１８０は、駆動軸１２０を取り巻くとともに開口窓部１５３の周縁を保持するように設けられた筒状部（壁部）１８１を備えてなり、かかる筒状部１８１は、指標板１５０の貫通部１５１に対応するように回路基板１１０上に実装された指針用光源１６０からの照明光を前方側（指針１４０側）に反射させるための反射部としての機能を有する。また、ケース体１８０における外周部の適宜箇所には、爪部等からなる複数の係合部（図示せず）が設けられるとともに、カバー部材１９０には前記複数の係合部に対応した位置に複数の係止部（図示せず）が設けられ、前記各係合部が前記各係止部に各々係止されることで、回路基板１１０を狭持するようにケース体１８０とカバー部材１９０とが嵌合固定される。
【０００５】
一方、表示素子２００に対応するケース体１８０の箇所及びその周囲には、空所が形成され、この空所に表示素子２００を保持するホルダ（枠体）２１０が配置され、このホルダ２１０の下端側開口に素子用光源２２０が実装される。ホルダ２１０は、例えば下端側開口の幅が表示素子２００側となる上端側開口の幅よりも幅狭となるように、前記下端側開口側から表示素子２００側に向けて傾斜して延びる傾斜壁２１１を有し、この傾斜壁２１１にて表示素子２００とホルダ２１０との間に配置される拡散板２３０並びに表示素子２００を保持する構成となっていた。
【特許文献１】特開２００７−７１８４３号公報
【発明の開示】
【発明が解決しようとする課題】
【０００６】
前述した従来の計器装置１００の場合、計器本体１３０は、指針１４０を回転駆動させるための駆動軸１２０が回路基板１１０を貫通するように、その前記主要部（本体部）が回路基板１１０の背後に装着され、また駆動軸１２０を取り巻くように回路基板１１０上にケース体１８０の筒状部１８１が配置された構成となっている。さらに、ケース体１８０は、前述したようにその外周部の適宜箇所に前記複数の係合部を備え、前記複数の係合部がカバー部材１９０に備えられた前記複数の係止部に各々係止されることで、回路基板１１０を挟持するようにケース体１８０とカバー部材１９０とが嵌合固定される構成となっている。
【０００７】
この際、ケース体１８０に設けられた筒状部１８１の底面が回路基板１０１の表面とクリアランス無く当接するように、回路基板１１０がケース体１８０とカバー部材１９０と間に挟持される構成とするのが好ましいが、回路基板１１０やケース体１８０（筒状部１８１）における各部の寸法には、寸法公差が存在するため、前記クリアランスを無くすことはできない。つまり、筒状部１８１の前記底面と回路基板１０１の前記表面との間には、微少クリアランスＳ（図５参照）が生じることになる。
【０００８】
従って、このように筒状部（壁部）１８１と回路基板１０１との間に前記寸法公差に伴う微少クリアランスＳが生じてなる計器装置１００を車両のインストルメントパネル（以下、インパネという）内部に搭載した場合、ケース体１８０が前記インパネに適宜取付手段により取り付けられていることから、車両が振動した際に、車両の振動が、計器装置１００においては、まずケース体１８０に伝達され、さらに、このケース体１８０の振動に伴い、カバー部材１９０や、ケース体１８０とカバー部材１９０とで挟持されてなる回路基板１１０が振動してしまうことがあった。特に、回路基板１１０に装着されてなる計器本体１３０等の重量のある部材は、車両の振動によって振動し易い。つまり、車両振動時には、回路基板１１０がより振動し易い傾向となる。この結果、微少クリアランスＳが存在するために、車両の振動に伴い、回路基板１１０の前記表面が筒状部１８１の前記底面と接触し、異音の発生原因となっていた。
そこで本発明は、前述の課題に対して対処するため、異音の発生を抑制することが可能な計器装置の提供を目的とするものである。
【課題を解決するための手段】
【０００９】
本発明は、回路基板と、前記回路基板に配置され駆動軸が前方に延びる計器本体と、前記駆動軸の先端側に装着される指針と、前記指針と前記回路基板との間に配置される前面パネルと、前記前面パネルと前記回路基板との間に位置する壁部を有するケース体とを備えた計器装置において、前記壁部に前記回路基板の表面に沿うように延在する延長部を設け、前記延長部と前記回路基板とを固定部材により固定してなることを特徴とする。
【００１０】
また本発明は、回路基板と、前記回路基板に配置され駆動軸が前方に延びる計器本体と、前記駆動軸の先端側に装着される指針と、前記指針と前記回路基板との間に配置される前面パネルと、前記前面パネルと前記回路基板との間に位置する壁部を有するケース体と、前記計器本体を収納するように前記回路基板の背後に配置されるカバー部材とを備えた計器装置において、前記壁部に前記回路基板の表面に沿うように延在する延長部を設け、前記カバー部材には前記延長部に対応した箇所に、前記回路基板と当接する当接部が形成されてなり、前記延長部と前記回路基板と前記当接部とを固定部材により固定してなることを特徴とする。
【００１１】
また本発明は、前記前面パネルが、前記指針によって指示される指標部と、表示素子が臨む開口窓部とを有する指標板からなり、前記延長部が、前記表示素子を保持する枠体と前記回路基板との間に配設されてなることを特徴とする。
【発明の効果】
【００１２】
本発明によれば、初期の目的を達成でき、異音の発生を抑制することが可能な計器装置を提供できる。
【発明を実施するための最良の形態】
【００１３】
図１から図３は本発明の実施形態を示すもので、以下、これらに基づいて本発明の実施形態を例えば自動車のごとき車両に搭載される回転計からなる計器装置に適用した場合について説明する。なお、図１は本発明の実施形態による計器装置の正面図、図２は図１のＡ−Ａ断面図、図３は図２中、Ｂ部を拡大して示す要部断面図である。
【００１４】
図１、図２において、本実施形態による計器装置Ｍは、回路基板１と、この回路基板１に導通装着（配置）され駆動軸２が前方に延びる計器本体３と、駆動軸２にて回転駆動される指針４と、この指針４と回路基板１との間に配置され駆動軸２に対応する孔部からなる貫通部５ａを有する指標板（前面パネル）５と、指針４を照明する指針用光源６と、指標板５を照明する指標用光源７と、回路基板１と指標板５との間に位置するケース体８と、回路基板１の背後に配置されるカバー部材９と、指標板５の背後側であってケース体８内部における所定箇所に配置される表示部材１０とから構成されてなる。
【００１５】
回路基板１は、例えばガラスエポキシ系基材に配線パターン（図示せず）を施した硬質回路基板からなり、後述する表示素子の駆動・制御を行う素子駆動回路（図示せず）と、計器本体３の駆動・制御を行う駆動手段（図示せず）と、指針用光源６と、指標用光源７と、抵抗、コンデンサ等の各種回路部品（図示せず）とが前記配線パターンに導通接続されている。なお、１ａは、後述する固定部材の各フック部が貫通する貫通孔からなる第１の孔部であり、この第１の孔部１ａは、表示部材１０付近となる回路基板１箇所に形成される（図３参照）。
【００１６】
計器本体３は、可動磁石式計器またはステッピングモータからなり、駆動軸２が回路基板１を貫通するように、その主要部が回路基板１の背後に装着され、且つ半田付け等の適宜導通手段により前記配線パターン（前記駆動手段）に電気接続される。
【００１７】
指針４は、駆動軸２の先端側に装着され、透光性合成樹脂からなる指示部４ａと、この指示部４ａの回転中心部外周を覆う遮光性合成樹脂からなる指針キャップ４ｂとを備えている。指示部４ａは、指標板５の後述する指標部を指示するように線状に延び、また指針４の回転中心部には、背後に配置された指針用光源６から発せられる照明光を受光しその照明光を指示部４ａの先端側に反射導光する受光部４ｃが形成されている。
【００１８】
指標板５は、指針４の回転軌道に沿った円弧状の配列形状を有し指示部４ａによって指示される目盛、数字等からなる指標部５ｂと、この指標部５ｂの背景を形成する背景部５ｃとを有している。
【００１９】
これら指標部５ｂ、背景部５ｃは透光性合成樹脂からなる薄板状の基材（図示せず）の前面に形成された印刷層からなり、例えば指標部５ｂは白色の透光性インクにより形成され、背景部５ｃは黒色の遮光性インクにより形成されている。なお、これら指標部５ｂ、背景部５ｃの各印刷層はスクリーン印刷等の手段を用いて印刷形成されている。また、５ｄは、表示部材１０における後述する表示素子が臨む略矩形状の開口窓部であり、この開口窓部５ｄは、指針４における前記回転中心部の下方に設けられる（図１参照）。
【００２０】
指針用光源６は、例えば赤色光を発するチップ型発光ダイオードからなり、指針４の前記回転中心部（つまり、指標板５の貫通部５ａ）に対応する回路基板１上に複数個配置され、指示部４ａを赤色に発光させる発光体である。
【００２１】
指標用光源７は、例えば白色光を発するチップ型発光ダイオードからなり、指標板５の背後側となる回路基板１上に複数個配置され、指標部５ｂを白色に発光させる発光体である。
【００２２】
ケース体８は、例えば白色の合成樹脂からなり、駆動軸２を取り巻くように回路基板１と指標板５との間に位置し、指標板５における貫通部５ａの周縁（もしくは貫通部５ａの近傍）を保持する筒状部（壁部）８ａを備えてなる。かかる筒状部８ａは、貫通部５ａに対応する空間部８ｂを有し、この空間部８ｂは、指針用光源６からの照明光を指針４の受光部４ｃに導くための照明室としての機能を有してなる。
【００２３】
そして、筒状部８ａの回路基板１側となる下端部（底面）には、筒状部８ａの外壁面から外周方向に向けて、駆動軸２の軸線Ｌと略直交する方向に延在する舌片（フランジ）形状からなる延長部８ｃが設けられてなる。かかる延長部８ｃは、回路基板１の表面に沿うように延在する舌片からなり、その先端部８ｄが表示部材１０の後述する枠体と回路基板１との間に介在するように、筒状部８ａにおける前記外壁面の全周ではなく、前記外壁面の一部に突出部分として形成される。なお、延長部８ｃ（先端部８ｄ）には、回路基板１の第１の孔部１ａに連通してなり、第１の孔部１ａと略同形状の第２の孔部８ｅが形成されてなる（図３参照）。
【００２４】
また、ケース体８における外周部の適宜箇所には、爪部等からなる複数の係合部（図示せず）が設けられており、前記複数の係合部は、カバー部材９の後述する複数の係止部に各々係止されるようになっている。
【００２５】
カバー部材９は、例えば合成樹脂からなり、計器本体３を収納するように回路基板１の背後側を覆うものである。かかるカバー部材９は、ケース体８における延長部８ｃの先端部８ｄに対応した箇所に、カバー部材９の底部側が開口した窪み形状からなる凹部９ａを備えてなる。
【００２６】
この凹部９ａは、周壁を形成する立壁部９ｂと、この立壁部９ｂにおける回路基板１側の開口を塞ぐ平坦部９ｃとを有してなる。平坦部９ｃは、延長部８ｃの先端部８ｄに対応した箇所に、回路基板１背面と当接する当接部からなり、その略中央部には、第１、第２の孔部１ａ、８ｅに各々連通してなり、各孔部１ａ、８ｅと略同形状の第３の孔部９ｄが形成されてなる（図３参照）。
【００２７】
表示部材１０は、指標板５における開口窓部５ｄに臨む表示素子１１と、この表示素子１１をバックライト照明するための素子用光源１２と、表示素子１１を保持する枠体１３と、素子用光源１２から表示素子１１に至る照明光を拡散させるための拡散板１４とを備えてなる。
【００２８】
表示素子１１は、例えば一対のガラス基板間に液晶分子を封入してなる液晶表示パネルからなり、図示しない各種センサからの検出信号（電気信号）に基づいて、車両の走行距離、燃料消費、外気温、時刻等の各種情報を表示するものである。
【００２９】
素子用光源１２は、適宜色の照明光を発するチップ型発光ダイオードからなり、拡散板１４の背後側となる回路基板１上に実装され、前方側（拡散板１４側）に照明光を供給する発光体である。
【００３０】
枠体１３は、例えば白色の合成樹脂からなり、素子用光源１２を取り囲むように回路基板１と拡散板１４との間に位置し、拡散板１４並びに拡散板１４上に載置される表示素子１１を保持するための断面略逆ハの字形状からなる傾斜部１３ａを備えてなる。
【００３１】
この場合、傾斜部１３ａは、素子用光源１２側となる下端側開口の幅が拡散板１４側となる上端側開口の幅よりも幅狭となるように、前記下端側開口から拡散板１４側に向けて傾斜して延びる逆ハの字状の傾斜壁からなる。そして、図２中、駆動軸２側に位置する傾斜部１３ａと回路基板１との間に、ケース体８における延長部８ｃの先端部８ｄが配設される構成となっている。この際、先端部８ｄ（延長部８ｃ）は、回路基板１の表面に沿うように設けられる。
【００３２】
拡散板１４は、例えば乳白色を有する光透過性合成樹脂からなり、表示素子１１の背面に沿うように配置される。かかる拡散板１４は、枠体１３の傾斜部１３ａによって包囲されてなる素子用光源１２からの照明光を略均一化させるための光拡散部材としての機能を有し、この略均一化された照明光は表示素子１１側に導かれる構成となっている。
【００３３】
以上の各部により計器装置Ｍが構成されてなる。かかる計器装置Ｍにおいて、回路基板１と、ケース体８に設けられた延長部８ｃ（先端部８ｄ）と、カバー部材９に設けられた平坦部（当接部）９ｃとの三者は、固定部材２０を用いて固定される。
【００３４】
この固定部材２０は、合成樹脂からなり、図３に示すように略円柱状からなる基部２１と、この基部２１から駆動軸２の軸方向（軸線Ｌ）に沿うように形成される一対のフック部２２、２３とを備え、基部２１とフック部２２、２３との境界部分における基部２１の外周面には軸線Ｌと略直交する方向に延びるフランジ部２１ａが形成されてなる。そして、一対のフック部２２、２３の間には、軸線Ｌに沿って延びるスリット２４が形成される。
【００３５】
この場合、各フック部２２、２３は、カバー部材９の第３の孔部９ｄ、回路基板１の第１の孔部１ａ並びにケース体８の第２の孔部８ｅにそれぞれ挿入されてカバー部材９、回路基板１並びにケース体８を貫通しており、それらの係合面２２ａ、２３ａが先端部８ｄ（延長部８ｃ）の表面で第２の孔部８ｅの外周縁に係合している。
【００３６】
つまり、回路基板１と延長部８ｃと平坦部９ｃとの三者を固定部材２０を用いて固定するにあたっては、一例として詳細図示は省略するが、まず回路基板１に設けられた第１の孔部１ａと先端部８ｄに設けられた第２の孔部８ｅとが連通するように回路基板１とケース体８を適宜固定手段を用いて固定する。
【００３７】
次に、各孔部１ａ、８ｅと当接部９ｃに設けられた第３の孔部９ｄとが連通するように、回路基板１の固定されたケース体８とカバー部材９とを組み付ける。この際、ケース体８に設けられた前記各係合部が、カバー部材９に設けられた前記各係止部に各々係止されることで、カバー部材９が回路基板１を固定してなるケース体８に組み付けられることになる。
【００３８】
次に、各孔部８ｅ、１ａ、９ｄが互いに連通した状態で、カバー部材９の第３の孔部９ｄと固定部材２０の各フック部２２、２３とが向かい合うように位置合わせし、各フック部２２、２３を第３の孔部９ｄの背後側から第３の孔部９ｄに挿入する。
【００３９】
この際、フック部２２、２３の傾斜面が、第３の孔部９ｄの周縁部分に当接することで各フック部２２、２３が互い近接するように窄まり（これによりスリット２４の幅寸法も小さくなる）、各フック部２２、２３の外径合計幅が第３の孔部９ｄの内径幅よりも小さくなって、各フック部２２、２３が第３の孔部９ｄを通過する。
【００４０】
第３の孔部９ｄを通過した各フック部２２、２３は、さらに第３の孔部９ｄと略同形状である回路基板１の第１の孔部１ａ並びにケース体８の第２の孔部８ｅを通過した後、それ自体の幅方向拡張（膨脹）力により元の方向の位置に復帰し、各フック部２２、２３の外径合計幅が第２の孔部８ｅの内径幅よりも大きくなり、これにより回路基板１と延長部８ｃと平坦部９ｃとの三者が、基部２１のフランジ部２１ａと各フック部２２、２３の係合面２２ａ、２３ａとの間で挟持された状態で、固定部材２０により固定される構成となる。
【００４１】
以上のように本実施形態では、回路基板１と、回路基板１に配置され駆動軸２が前方に延びる計器本体３と、駆動軸２の先端側に装着される指針４と、指針４と回路基板１との間に配置される指標板５と、指標板５と回路基板１との間に位置する筒状部８ａを有するケース体８と、計器本体３を収納するように回路基板１の背後に配置されるカバー部材９とを備えた計器装置Ｍにおいて、筒状部８ａに回路基板１の表面に沿うように延在する延長部８ｃを設け、カバー部材９には延長部８ｃの先端部８ｄに対応した箇所に、回路基板１と当接する当接部９ｃが形成されてなり、先端部８ｄ（延長部８ｃ）と回路基板１と当接部９ｃとの三者を固定部材２０により固定する構成とした。
【００４２】
従って、このように三者を固定部材２０を用いて固定したことに伴い、固定部材２０に備えられたフック部２２、２３の係合面２２ａ、２３ａによって先端部８ｄ（つまり筒状部８ａ）の底面が回路基板１の表面側に押し付けられるとともに、固定部材２０に備えられたフランジ部２１によって当接部９ｃの表面が回路基板１の背面側に押し付けられる構成となり、回路基板１表面と筒状部８ａ底面とが密着する。換言すれば、前記三者は、フランジ部２１ａと係合面２２ａ、２３ａとの間で、常時がたつき無く密着して組み付けられることから、従来のように微少クリアランスを有するようにケース体の筒状部が回路基板上に配置されることが無くなるため、車両振動時に回路基板が振動した場合であっても、微少クリアランスが原因で生じていた回路基板表面とケース体（筒状部）底面との接触に伴う異音の発生を抑制することができる。
【００４３】
また本実施形態では、回路基板１の第１の孔部１ａ並びに当接部９ｃの第３の孔部９ｄに連通する第２の孔部８ｅが、枠体１３における傾斜部１３ａの背後側となる延長部８ｃの先端部８ｄに形成されてなる例について説明したが、例えば第２の孔部８ｅ（つまり先端部８ｄ）を、計器装置Ｍを正視したときに傾斜部１３ａと重ならないような位置に設けてもよい。このことは、先端部８ｄ（延長部８ｃ）が、枠体１３の傾斜部１３ａと回路基板１との間に配設されないことを意味している。
【００４４】
また本実施形態では、回路基板１と指標板５との間に介在してなるケース体８の筒状部（壁部）８ａが、駆動軸２を取り巻くように指標板５の貫通部５ａ周縁に設けられてなる例について説明したが、例えば詳細図示は省略するが、指標板５の外縁部を保持する壁部（周壁部）に回路基板１表面に沿い延在する延長部を設け、前記延長部と回路基板１とを固定部材２０を用いて固定する構成としてもよい。なお、この場合、前記延長部と傾斜部１３ａとの位置関係は、計器装置Ｍを正視したときに、重なっていてもよいし、重なっていなくてもよい。
【００４５】
なお本実施形態では、回路基板１とケース体８の延長部８ｃ（筒状部８ａ）とカバー部材９の当接部９ｃ（凹部９ａ）との三者を固定部材２０を用いて固定した場合について説明したが、例えば当接部９ｃに固定部材２０における基部２１の外形形状よりも大きい（つまり第３の孔部９ｄよりも径大の）開口部分を設け、回路基板１の第１の孔部１ａと延長部８ｃの第２の孔部８ｅのみに固定部材２０のフック部２２、２３を挿入して、回路基板１と延長部８ｃの二者を固定部材２０を用いて固定する構成としてもよい。
【図面の簡単な説明】
【００４６】
【図１】本発明の実施形態による計器装置の正面図である。
【図２】図１のＡ−Ａ断面図である。
【図３】図２中、Ｂ部を拡大して示す要部断面図である。
【図４】従来例による計器装置の正面図である。
【図５】図４のＸ−Ｘ断面図である。
【符号の説明】
【００４７】
１    回路基板
１ａ  第１の孔部
２    駆動軸
３    計器本体
４    指針
５    指標板（前面パネル）
５ａ  貫通部
５ｂ  指標部
５ｄ  開口窓部
８    ケース体
８ａ  筒状部（壁部）
８ｃ  延長部
８ｄ  先端部
８ｅ  第２の孔部
９    カバー部材
９ｃ  平坦部（当接部）
９ｄ  第３の孔部
１０    表示部材
１１    表示素子
１３    枠体
１３ａ  傾斜部
２０    固定部材
２１ａ  フランジ部
２２、２３  フック部
２２ａ、２３ａ  係合面
Ｌ    軸線
【図１】
2009074975.tif 000003
【図２】
2009074975.tif 000004
【図３】
2009074975.tif 000005
【図４】
2009074975.tif 000006
【図５】
2009074975.tif 000007